(57)【要約】【課題】原稿面に必要な光量を確保しつつ、原稿が平面でない場合であっても原稿で正反射した光が光源像の点列となって現れることを低減することを可能にした照明装置およびそれを用いた画像読取装置を提供する。【解決手段】第１の方向に配列された複数の発光素子を夫々が備える第１および第２の発光素子列と、第１および第２の発光素子列から出射する第１および第２の光を原稿面に導光する第１および第２の導光体と、を有する照明装置で、第１の発光素子列における発光素子と第２の発光素子列における発光素子とは、第１の方向において互いに異なる位置に配置され、第１の導光体は、第２の発光素子列から出射して第２の導光体を介した第３の光を原稿面に向けて反射する第１の反射部を有し、第２の導光体は、第１の発光素子列から出射して第１の導光体を介した第４の光を原稿面に向けて反射する第２の反射部を有する。【選択図】図１
2017139552.tif 000002
【特許請求の範囲】
【請求項１】
第１の方向に配列された複数の発光素子を夫々が備える第１および第２の発光素子列と、
前記第１および第２の発光素子列から出射する第１および第２の光を原稿面に導光する第１および第２の導光体と、
を有する照明装置であって、
前記第１の発光素子列における発光素子と前記第２の発光素子列における発光素子とは、前記第１の方向において互いに異なる位置に配置されており、
前記第１の導光体は、前記第２の発光素子列から出射して前記第２の導光体を介した第３の光を前記原稿面に向けて反射する第１の反射部を有し、
前記第２の導光体は、前記第１の発光素子列から出射して前記第１の導光体を介した第４の光を前記原稿面に向けて反射する第２の反射部を有することを特徴とする照明装置。
【請求項２】
前記第１および第２の導光体は、前記第１の方向に直交する面内で前記第１の方向に直交する軸に関して対称に設けられることを特徴とする請求項１に記載の照明装置。
【請求項３】
前記第１および第２の導光体は、
前記第２の導光体から前記第１の導光体に向かう前記第２の発光素子列における前記発光素子からの光を前記第１の反射部の位置で前記第１の方向に集光し、かつ、
前記第１の導光体から前記第２の導光体に向かう前記第１の発光素子列における前記発光素子からの光を前記第２の反射部の位置で前記第１の方向に集光することを特徴とする請求項１または２に記載の照明装置。
【請求項４】
前記第１および第２の導光体は、前記第１および第２の反射部の位置で前記発光素子の発光面の像として前記第１の方向に等倍像を形成することを特徴とする請求項３に記載の照明装置。
【請求項５】
前記第１および第２の導光体は、前記第１および第２の反射部の位置で前記発光素子の発光面の像として前記第１の方向に直交する方向に等倍像を形成することを特徴とする請求項４に記載の照明装置。
【請求項６】
前記第１の導光体は、前記第１および第４の光を前記原稿面に向けて出射する第１の出射面を有し、
前記第２の導光体は、前記第２および第３の光を前記原稿面に向けて出射する第２の出射面を有し、
前記第１および第２の出射面は、それぞれ前記第１の方向にアレイ状に設けられる曲面を有することを特徴とする請求項１乃至４のいずれか１項に記載の照明装置。
【請求項７】
前記第１および第２の出射面は、前記第１の方向に直交する断面において曲面を有することを特徴とする請求項６に記載の照明装置。
【請求項８】
前記第１および第２の発光素子列は、それぞれ前記第１の方向に所定のピッチで配置されている第１および第２の発光素子アレイであり、
前記第１および第２の導光体は、前記第１の方向に直交する面内で対称な位置に配置され、
前記第１および第２の導光体からそれぞれ出射した前記第１および第２の光は原稿面を直接照射し、
前記第１および第２の導光体のうち一方から他方に向かい、前記第１および第２の導光体に設けられた第１および第２の反射部で反射した前記第３の光および前記第４の光が前記原稿面を照射することを特徴とする請求項１乃至７のいずれか１項に記載の照明装置。
【請求項９】
請求項1乃至８のいずれか1項に記載の照明装置と、前記原稿面からの光束を受光する受光部と、前記原稿面からの光束を前記受光部に導く結像部と、を有することを特徴とする画像読取装置。
【請求項１０】
第１の方向に所定のピッチで配置されている複数の発光素子からなる第１および第２の発光素子アレイと、前記第１および第２の発光素子アレイからの光を原稿面へ導光する第１および第２の導光体と、を有し、
前記第１の発光素子アレイに配置されている前記発光素子と前記第２の発光素子アレイに配置されている前記発光素子は前記第１の方向の位置が異なって配置され、
前記第１および第２の導光体は前記第１の方向に直交する面内で読取光軸に対称な位置に配置され、
前記第１および第２の導光体からそれぞれ出射した光は原稿面を直接照射し、
前記第１および第２の導光体のうち一方から他方に向かい、前記第１および第２の導光体に設けられた第１および第２の反射部で反射した光が前記原稿面を照射することを特徴とする画像読取装置。
【発明の詳細な説明】
【技術分野】
【０００１】
本発明は、照明装置およびそれを用いた画像読取装置に関し、特に、イメージスキャナー、複写機、ファクシミリなど、原稿面を照明して線順次方式で画像読取を行う画像読取装置に好適なものである。
【背景技術】
【０００２】
従来一般に、イメージスキャナー、複写機、複合機などの画像読取装置において、原稿を照明する照明装置は、蛍光灯などの管状光源を用いて原稿を照明していた。また近年では、白色ＬＥＤ等の発光素子をアレイ状に並べ、管状光源の代わりとした原稿を照明する照明装置が出てきている。
【０００３】
ここで、光源として複数のＬＥＤ（点光源）を主走査方向にアレイ状に配置した構成の場合、各ＬＥＤから出射された光束（光線）を原稿面に直接照明すると、主走査方向において照度ムラが生じ、読み取った画像に濃度ムラが発生する。そのため、この照度ムラの発生を抑制した画像読取装置が従来より提案されている（特許文献１、２）。
【０００４】
特許文献１では、照明装置に一対のＬＥＤアレイがあり、各ＬＥＤアレイを副走査方向に読み取り位置に対して対称な位置に配置し、主走査方向にＬＥＤチップの配列ピッチの半分ずつずらして配置する構成が開示されている。
【０００５】
また、特許文献２では、点状光源から発した光を導き、少なくとも照明位置のライン（原稿の被照射位置）を形成する導光部材を有している。そして、導光部材は、側面の一部に配置された点状光源からの光を反射する帯状の第１および第２の反射部材を、所定の照明位置のラインと平行に、かつ、第１と第２の反射面の法線が照明位置のラインで交差するように配置する構成が開示されている。これにより、導光部材内で全反射して導光された光が、第１、第２の反射部材で反射して、照明位置のラインを両側から照明する。
【先行技術文献】
【特許文献】
【０００６】
【特許文献１】特開昭６１−１３６３６９号公報
【特許文献２】特開２０００−１０１７９０号公報
【発明の概要】
【発明が解決しようとする課題】
【０００７】
上述の特許文献１に開示された従来技術では、一対のＬＥＤアレイをＬＥＤの配列ピッチの半分ずつずらして配列している。このため、被照射位置に対し副走査方向で両側から照明しつつ、主走査方向にＬＥＤ配列ピッチの半分のピッチで照明できるため、原稿面上での照度ムラは多くの場合改善される。
【０００８】
しかしながら、原稿がカールした場合は、被照射位置に対する副走査方向で両側からの照明光のうち、一方側からの照明光がカールした原稿面で正反射し、その光束が結像光学系を通ってＣＣＤ等の光電変換素子に結像する。この場合、正反射した部分が点光源（ＬＥＤ）像を形成し、点列になって読み取られる問題が発生する。また、厚い本の綴じ部を原稿台ガラスに突き当てる場合、綴じ部は平面ではなく湾曲した形となり、上述と同様に正反射光による点光源（ＬＥＤ）像が点列になる。
【０００９】
これらの場合、正反射は片側（一方）のＬＥＤアレイ毎に発生し、反対側（他方）には対応する点光源が存在しないため、配列ピッチをずらして配置しても配列ピッチが半分になるという効果はなく、点光源像を低減することができない。
【００１０】
また、特許文献２に開示された従来技術では、上述した第１と第２の反射面を拡散反射面とする場合は、原稿読取部に向かう光は拡散作用で光の方向がランダムとなるので、正反射による点光源像も弱くなる。しかしながら、この場合は拡散作用により、原稿に到達する光が低減するため、点光源の数を増やす必要がある。一方、上述した第１と第２の反射面をミラーのような反射面とする場合は、第１と第２の反射面から原稿読取部に向かう光は、一定の角度を満たした光のみとなる。その結果、それ以外の角度で入射した光は原稿読取部に向かわないため、上記と同様に点光源の数を増やす必要がある。
【００１１】
本発明の目的は、原稿面に必要な光量を確保しつつ、原稿が平面でない場合であっても原稿で正反射した光が光源像の点列となって現れることを低減することを可能にした照明装置およびそれを用いた画像読取装置を提供することにある。
【課題を解決するための手段】
【００１２】
上記目的を達成するために、本発明に係る照明装置は、第１の方向に配列された複数の発光素子を夫々が備える第１および第２の発光素子列と、前記第１および第２の発光素子列から出射する第１および第２の光を原稿面に導光する第１および第２の導光体と、を有する照明装置であって、前記第１の発光素子列における発光素子と前記第２の発光素子列における発光素子とは、前記第１の方向において互いに異なる位置に配置されており、前記第１の導光体は、前記第２の発光素子列から出射して前記第２の導光体を介した第３の光を前記原稿面に向けて反射する第１の反射部を有し、前記第２の導光体は、前記第１の発光素子列から出射して前記第１の導光体を介した第４の光を前記原稿面に向けて反射する第２の反射部を有することを特徴とする。
【００１３】
また、本発明に係る画像読取装置は、上記照明装置を有することを特徴とする。
【００１４】
また、本発明に係る別の画像読取装置は、第１の方向に所定のピッチで配置されている複数の発光素子からなる第１および第２の発光素子アレイと、前記第１および第２の発光素子アレイからの光を原稿面へ導光する第１および第２の導光体と、を有し、前記第１の発光素子アレイに配置されている前記発光素子と前記第２の発光素子アレイに配置されている前記発光素子は前記第１の方向の位置が異なって配置され、前記第１および第２の導光体は前記第１の方向に直交する面内で読取光軸に対称な位置に配置され、前記第１および第２の導光体からそれぞれ出射した光は原稿面を直接照射し、前記第１および第２の導光体のうち一方から他方に向かい、前記第１および第２の導光体に設けられた第１および第２の反射部で反射した光が前記原稿面を照射することを特徴とする。
【発明の効果】
【００１５】
本発明によれば、原稿面に必要な光量を確保しつつ、原稿が平面でない場合であっても原稿で正反射した光が光源像の点列となって現れることを低減することを可能にした照明装置およびそれを用いた画像読取装置を提供することができる。
【図面の簡単な説明】
【００１６】
【図１】本発明の照明装置を原稿側から見た上面模式図
【図２】図１におけるＡ−Ａ線、Ｂ−Ｂ線での断面模式図
【図３】実施形態１に係る照明装置を原稿側から見た上面模式図
【図４】図３におけるＡ−Ａ線、Ｂ−Ｂ線での断面模式図
【図５】図３における光の経路を示す要部拡大図
【図６】実施形態２に係る照明装置を原稿側から見た上面模式図
【図７】図６におけるＡ−Ａ線、Ｂ−Ｂ線での断面模式図
【図８】図６における光の経路を示す要部拡大図
【図９】本実施形態に係る照明装置を搭載した画像読取装置の断面模式図
【発明を実施するための形態】
【００１７】
以下に、本発明の好ましい実施の形態を、添付の図面に基づいて詳細に説明する。
【００１８】
《第１の実施形態》
（画像読取装置）
図９は、光源手段としてＬＥＤ（点光源）を用いた本発明の実施形態に係る照明装置（原稿照明装置）１００を搭載した画像読取装置の断面模式図である。ここで、本願明細書では、「主走査方向」、「副走査方向」、「主走査断面」、「副走査断面」を以下のように定義する。すなわち、主走査方向とは点光源群の配列方向（第１の方向）、副走査方向とは原稿面に平行な断面内で第１の方向に直交する方向、主走査断面とは原稿面に平行な断面、副走査断面とは点光源群の配列方向に垂直な断面とする。
図９において、それぞれＬＥＤ（点光源）アレイである第1、第２の発光素子アレイ１０３、１０７から出射された照明光は、第1、第２の導光体１０１、１０２を通り原稿台ガラス１０５上に置かれた原稿（原稿面）１０６を照明する。これについては、後に詳述する。
【００１９】
原稿９０３で反射した画像情報を有した反射光束は、複数の反射ミラー９０４を介してキャリッジ９００内部でその光束の光路が折り曲げられている。そして、光路が折り曲げられた光束を受光する受光部としての１次元光電変換素子（ＣＣＤ）９０６面上に、結像部としての結像光学系９０５が結像させている。そして、キャリッジ９００をモータ９０７等の駆動装置により図９に示す矢印方向（副走査方向）に移動させる。これにより、副走査方向における原稿の読取領域の中心を示すＺ線を変位させ、線順次に読取る１次元光電変換素子９０６に接続するＣＰＵ９０８を介して原稿９０３の全体画像情報を読み取る。
【００２０】
（照明装置の概要）
図１は、本発明の実施形態に関わる照明装置９０１（図９）における導光体と発光素子（ＬＥＤ）及び基板を原稿側から見た上面模式図である。図１で、縦軸が主走査方向（第１の方向）、横軸が副走査方向である。そして、１０１は第１の導光体、１０２は第２の導光体、１０３は第１の発光素子アレイ、１０４は発光素子アレイ基板、１０７は第２の発光素子アレイ、１０８は第２の発光素子アレイ基板である。また、１０１ａ及び１０２ａは入射面、１０１ｂ及び１０２ｂは第１の出射面、１０１ｃ及び１０２ｃは第２の出射面、１０１ｄ及び１０２ｄは第１および第２の反射面(第１および第２の反射部)である。
【００２１】
また、図１で、Ａ−Ａ線、及びＢ−Ｂ線は、それぞれ発光素子アレイ１０３、１０７の任意の１つを通過する線である。さらに、図１のＸ線は、主走査方向における原稿の読取領域の中心を示している。
【００２２】
第１の発光素子アレイ１０３と第２の発光素子アレイ１０７は、それぞれ主走査方向に互い違いに配置され、同一の主走査位置にならないように配置されている。これにより、原稿面上では左右からの光を合成することで、離散的な発光素子配置の間を埋め主走査方向での照度ムラを低減している。
【００２３】
ここで、図１におけるＡ−Ａ線、Ｂ−Ｂ線での断面模式図を、それぞれ図２（ａ）、（ｂ）に示す。図２（ａ）、（ｂ）において、原稿台ガラスは１０５、原稿は１０６である。図２に示す矢印は、各断面の原稿に照射される光の光路を矢印の向きに概念的に示したものである。さらに、図２のＺ線は、副走査方向における原稿の読取領域の中心を示している。
【００２４】
図２（ａ）では、第１の導光体１０１の断面と第２の導光体１０２の断面形状は、反射面１０１ｄ、１０２ｄを除き、Ｚ線に対し線対称である。発光素子アレイ１０３における発光素子（ＬＥＤ）から発光した光は、入射面１０１ａから入射し、その入射光の一部は矢印点線で示すように出射面１０１ｂに向かう（直接照射）。そして、出射面１０１ｂにて読取位置近傍に向かうように角度を変えて出射し、原稿台ガラス１０５を通り、原稿１０６を照明する。
【００２５】
また、入射光の一部は、矢印実線で示すように出射面１０１ｃに向かい、第２の導光体の出射面１０２ｃに入射する。そして、副走査断面内で入射面１０２ａの近傍に配置された反射面１０２ｄにて出射面１０２ｂに向かうような角度で反射される。そして、出射面１０２ｂにて読取位置近傍に向かうように角度を変えて出射し、原稿台ガラス１０５を通り、原稿１０６を照明する。
【００２６】
このような構成にすることで、片側しか発光素子がない所でも擬似的に発光素子があるようにし両側から照明を行うようにしている。なお、図２（ｂ）では、図２（ａ）が線Ｚに対して反転した状態となっているので、光線も反転したものになっている。
【００２７】
このように、本実施形態では、第１および第２の導光体からそれぞれ出射した光は原稿面を直接照射する。そして、第１および第２の導光体のうち一方から他方に向かい、第１および第２の導光体に設けられた第１および第２の反射部で反射した光が原稿面を照射する。
【００２８】
即ち、第１および第２の発光素子列における発光素子からの光をそれぞれ第１および第２の光として原稿面へ導光する第１および第２の導光体（１０１、１０２）を備える。そして、第１の導光体は、第２の導光体から前記第１の導光体に向かう第２の発光素子列における発光素子からの光を第３の光として原稿面に向けて反射する第１の反射部（１０１ｄ）を有する。また、第２の導光体は、第１の導光体から第２の導光体に向かう第１の発光素子列における発光素子からの光を第４の光として原稿面に向けて反射する第２の反射部（１０２ｄ）を有する。
【００２９】
このようにすることで、本実施形態では、第１の発光素子アレイ１０３も第２の発光素子アレイ１０４も発光素子と発光素子の間に擬似的に発光素子がある形となり、見かけ上発光素子のピッチを半分にすることができる。
【００３０】
これにより、原稿面での照度ムラを改善し、更に原稿がカールした場合や僅かな立体物の場合に発生する点光源像も密度が２倍となるため、点光源像と点光源像の離間を小さくし、光源の像の点列状態を低減することができる。
【００３１】
（照明装置の具体的構成）
図３は、本実施形態に係る照明装置を原稿側から見た上面模式図である。図３において、縦軸が主走査方向、横軸が副走査方向である。図３で、３０１は第１の導光体、３０３は第１の発光素子アレイとしてのＬＥＤアレイ、３０４は３０３を実装する発光素子アレイ基板、３０１ａは入射面、３０１ｂ、３０１ｃは出射面、３０１ｄは反射面（反射部）である。
【００３２】
同様の構成として、３０２は第２の導光体、３０７は第２の発光素子アレイとしてのＬＥＤアレイ、３０８は３０７を実装する発光素子アレイ基板、３０２ａは入射面、３０２ｂ、３０２ｃは出射面、３０２ｄは反射面（反射部）である。なお、図３のＸ線は主走査方向における原稿の読取領域（画像読取領域）の中心を示している。
【００３３】
図４（ａ）、（ｂ）は、それぞれ図３におけるＡ−Ａ線、Ｂ−Ｂ線での断面模式図である。また、図５は図３における要部拡大図で、矢印実線はＬＥＤから出射した光のうち、対面側の導光体に向かう光の経路を示したものである。
【００３４】
本実施形態において、ＬＥＤアレイ３０３を出射した光は、第１の導光体３０１の入射面３０１ａに入射する。そして、図４（ａ）の矢印点線で示したように一部の光は原稿を直接照明する方向の出射面３０１ｂに向かい、矢印実線で示した一部の光は、読取光軸に対し線対称に配置された第２の導光体３０２の方向の出射面３０１ｃに向かう。そして、出射面３０１ｂを出射した光は、原稿台ガラス３０５を通り原稿３０６を照明している。
【００３５】
ここで、原稿が浮いても照明光が届くように、出射面３０１ｂは光線の向きを変える程度の平面となっているが、原稿が浮いても照明光が届くのであれば、出射面３０１ｂを副走査方向に集光するシリンダー曲面で構成し、出射光を集光してもよい。
【００３６】
ところで、出射面３０１ｃを出射した光は、主走査、副走査両方向で略平行光となるように出射面３０１ｃがトーリックアレイ曲面で構成され、その略平行光が線対称に配置された第２の導光体３０２の出射面３０２ｃに入射する。出射面３０１ｃのトーリックアレイ曲面の主走査方向のサイズは、１個のＬＥＤの配光角に合わせて配置されているが、これよりも広い配光角になっても隣接する曲面により略平行光になる。
【００３７】
出射面３０２ｃは、出射面３０１ｃと同一形状のトーリックアレイ曲面となっており、略平行光は出射面３０２ｃを通過後に入射面３０２ａに集光するようになっており、この入射面３０２ａ近傍に設けた反射面３０２ｄが擬似的な光源となる。
【００３８】
ここで、反射面３０２ｄはアルミの膜や光沢のある白色塗装で構成され、出射面３０２ｂの方向に向きを変えるように入射面３０２ａに対し若干上に向いた斜面形状となっている。そして、反射面３０２ｄで反射した光は、出射面３０２ｂを通り、原稿台ガラス３０５を通り原稿３０６を照明する。
【００３９】
このように、第１の導光体３０１と第２の導光体３０２がほぼ倒立等倍結像となる光学系を形成することで、一方のＬＥＤに対し、読み取り光軸に対称な位置にＬＥＤの発光面の像（等倍像）を形成できる。これにより、あたかもＬＥＤがあるように擬似光源を作成することが可能となる。そして、これを第１のＬＥＤアレイと第２のＬＥＤアレイのＬＥＤ配置を互い違いにすることで、第１のＬＥＤアレイでＬＥＤが配置された位置ではＡ−Ａ断面（図２（ａ））、ＬＥＤ間の位置ではＢ−Ｂ断面（図２（ｂ））のようになる。
【００４０】
この結果、ＬＥＤアレイの配列の密度は２倍になり、ＬＥＤの正反射光の写り込みによる点光源像の間隔を狭め、ＬＥＤ光源像が点列状に見えることを低減できる。
【００４１】
《第２の実施形態》
図６は、本発明の第２の実施形態に係る照明装置（原稿照明装置）を原稿側から見た上面模式図である。図６において、縦軸が主走査方向（第１の方向）、横軸が副走査方向である。
【００４２】
６０１は第１の導光体、６０３は第１の発光素子アレイとしてのＬＥＤアレイ、６０４は６０３を実装する発光素子アレイ基板、６０１ａは入射面、６０１ｂ、６０１ｃは出射面、６０１ｄは反射面（反射部）である。同様の構成として、６０２は第２の導光体、６０７は第２の発光素子アレイとしてのＬＥＤアレイ、６０８は６０７を実装する発光素子アレイ基板、６０２ａは入射面、６０２ｂ、６０２ｃは出射面、６０２ｄは反射面（反射部）である。なお、図中のＸ線は主走査方向における原稿の読取領域の中心を示している。
【００４３】
図７（ａ）、（ｂ）は、それぞれ図６におけるＡ−Ａ線、Ｂ−Ｂ線での断面模式図である。また、図８は図６における要部拡大図で、矢印実線はＬＥＤから出射した光のうち、対面側の導光体に向かう光の経路を示したものである。
【００４４】
本実施形態において、ＬＥＤアレイ６０３を出射した光は、第１の導光体６０１の入射面６０１ａに入射する。そして、図７（ａ）の矢印点線で示したように一部の光は原稿を直接照明する方向の出射面６０１ｂに向かい、矢印実線で示した一部の光は読取光軸に対し、線対称に配置された第２の導光体６０２の方向の出射面６０１ｃに向かう。そして、出射面６０１ｂを出射した光は原稿台ガラス６０５を通り原稿６０６を照明している。
【００４５】
ここで、原稿が浮いても照明光が届くように、出射面６０１ｂは光線の向きを変える程度の複数の平面から構成されているが、出射面６０１ｂを副走査方向に集光するシリンダー曲面で構成し、出射光を集光してもよい。
【００４６】
また、出射面６０１ｃを出射した光は、集光位置が主走査、副走査ともに導光体６０１と導光体６０２の中間になるように出射面６０１ｃはトーリックアレイ曲面で構成される。このとき、トーリックアレイ曲面のピッチをＬＥＤアレイピッチより細かくすることで、１個のＬＥＤがＸ線上の主走査方向に複数個所で集光するため、ＬＥＤアレイとしては主走査方向に多数の集光点が並んだ状態となる。これにより、ＬＥＤの正反射光の写り込みによる点光源像の間隔を狭め、ＬＥＤ光源像が点列状に見えることを低減できる。
【００４７】
そして、導光体６０１と導光体６０２の中間で集光した光は広がり始め、線対称に配置された第２の導光体６０２の出射面６０２ｃに入射する。出射面６０２ｃは、出射面６０１ｃと同一形状のトーリックアレイ曲面となっており、広がって入射した光は出射面６０２ｃ通過後に入射面６０２ａに集光するようになっており、この入射面６０２ａ近傍に設けた反射面６０２ｄが擬似的な光源となる。
【００４８】
ここで、反射面６０２ｄは鏡面反射するアルミや銀の薄膜で構成され、出射面６０２ｂの方向に向きを変えるように入射面６０２ａに対し若干上に向いた複数の斜面形状となっている。そして、反射面６０２ｄで反射した光は出射面６０２ｂを通り、原稿台ガラス６０５を通り原稿６０６を照明する。
【００４９】
このように、第１の導光体６０１と第２の導光体６０２でほぼ正立等倍結像となる光学系を形成することで、一方のＬＥＤに対し、読み取り光軸に対称な位置にＬＥＤ像を作成し、あたかもＬＥＤがあるように擬似光源を作成することが可能となる。
【００５０】
そして、これを第１のＬＥＤアレイと第２のＬＥＤアレイのＬＥＤ配置を互い違いにすることで、第１のＬＥＤアレイでＬＥＤが配置された位置ではＡ−Ａ断面（図７（ａ））、ＬＥＤ間の位置ではＢ−Ｂ断面（図７（ｂ））のようになる。同様に、第２のＬＥＤアレイのＬＥＤ間にも擬似的なＬＥＤを作ることが可能となる。
【００５１】
このように、本実施形態でも、第１および第２の導光体からそれぞれ出射した光は原稿面を直接照射する。そして、第１および第２の導光体のうち一方から他方に向かい、第１および第２の導光体に設けられた第１および第２の反射部で反射した光が原稿面を照射する。
【００５２】
即ち、第１および第２の発光素子列における発光素子からの光をそれぞれ第１および第２の光として原稿面へ導光する第１および第２の導光体（６０１、６０２）を備える。そして、第１の導光体は、第２の導光体から前記第１の導光体に向かう第２の発光素子列における発光素子からの光を第３の光として原稿面に向けて反射する第１の反射部（６０１ｄ）を有する。また、第２の導光体は、第１の導光体から第２の導光体に向かう第１の発光素子列における発光素子からの光を第４の光として原稿面に向けて反射する第２の反射部（６０２ｄ）を有する。
【００５３】
この結果、ＬＥＤアレイの配列の密度は２倍になり、さらに前述のトーリックアレイ曲面のピッチをＬＥＤアレイピッチより細かくすることによる効果と合わさって、ＬＥＤの正反射光の写り込みによりＬＥＤ光源像が点列状に見えることを低減できる。
【００５４】
（変形例）
以上、本発明の好ましい実施形態について説明したが、本発明はこれらの実施形態に限定されず、その要旨の範囲内で種々の変形及び変更が可能である。
【００５５】
（変形例１）
上述した実施形態では、ＬＥＤアレイは主走査方向（第１の方向）に等ピッチであるものとして説明したが、本発明はこれに限られず、主走査端部と主走査中央部で配列密度を変えても同様の効果は得られる。
【００５６】
（変形例２）
上述した実施形態では、だい１および第２の発光素子アレイはそれぞれ発光素子列として３個以上の発光素子を備えるものとして説明したが、本発明はこれに限られず第１および第２の発光素子列としてそれぞれ２個の発光素子を備えるものでも良い。
【００５７】
（変形例３）
上述した実施形態では、第１の発光素子アレイに配置されている発光素子と、第２の発光素子アレイに配置されている発光素子は、全て第１の方向の位置が異なって配置されるものであった。しかし、本発明はこれに限られず、第１および第２の発光素子アレイにおける一部の発光素子が第１の方向の位置が同じ配置である場合にも適用できる。
【００５８】
ここで、第１および第２の発光素子アレイにおける一部の発光素子が第１の方向の位置が同じ配置である場合、その発光素子に対応する導光体における反射面（第１および第２の反射部）は存在しない。
【００５９】
（変形例４）
また、上述した実施形態では、第１および第２の導光体は、位置並びに形状が第１の方向に直交する面内で第１の方向に直交する軸（読取光軸）に関して対称に設けられるものであったが、位置並びに形状の少なくとも一方を非対称に設けることもできる。
【符号の説明】
【００６０】
１０１・・第１の導光体、１０２・・第２の導光体、１０１ｄ・・第１の反射面（反射部）、１０２ｄ・・第２の反射面（反射部）、１０３・・第１の発光素子アレイ、１０７・・第２の発光素子アレイ
【図１】
2017139552.tif 000003
【図２】
2017139552.tif 000004
【図３】
2017139552.tif 000005
【図４】
2017139552.tif 000006
【図５】
2017139552.tif 000007
【図６】
2017139552.tif 000008
【図７】
2017139552.tif 000009
【図８】
2017139552.tif 000010
【図９】
2017139552.tif 000011